(57)【要約】【課題】  ヘアーアイロンで種々のヘアースタイリングを可能にするのが課題である。【解決手段】  ヘアーアイロン本体に、着脱自在に種々のアタッチメントを取りつけ使用することで、自由にヘアーメイクを可能としたものである。【選択図】  図３
2006311982.tif 000002
【特許請求の範囲】
【請求項１】
ヘアーアイロン本体１と、ロールアイロン２・ロールブラシ６・ストレートプレート１５と２１・ワッフルプレート１７と１９の、各種アタッチメントを着脱自在に組み合わせ、カール・スソハネ・ストレート・ワッフル等のヘアーにメイクするための、詳しい使用説明書とをセットにした、ヘアーアイロン。
【請求項２】
請求項１に記載のセットに於いて、ロールアイロンアタッチメント２に１９ｍｍ・２５ｍｍ・３２ｍｍの３種類を設けてなる、ヘアーアイロン。
【請求項３】
請求項１に記載のセットに於いて、ロールアイロンアタッチメント２に挿入使用するロールブラシアタッチメント６に、１９ｍｍ・２５ｍｍ・３２ｍｍの３種類を設けてなる、ヘアーアイロン。
【請求項４】
請求項１に記載のセットに於いて、ストレートプレートアタッチメントに、挿入タイプ１５と填め込みタイプ２１を有する、ヘアーアイロン。
【請求項５】
請求項１に記載のセットに於いて、ワッフルプレートアタッチメントに、挿入タイプ１４と填め込みタイプ２１を有する、ヘアーアイロン。
【請求項６】
請求項５に記載のワッフルプレートに於いて、ワッフルプレートアタッチメントに、６ｍｍ・１２ｍｍ・２４ｍｍの３種類を設けてなる、ヘアーアイロン。
【請求項７】
請求項１に記載のセットに於いて、ストレートプレート２１及びワッフルプレート１９アタッチメントを、プレート専用のヘアーアイロン本体２０に填め込み使用する、ヘアーアイロン。
【発明の詳細な説明】
【技術分野】
【０００１】  本発明は、従来よりのヘアーアイロンに、数種類のアタッチメントを着脱自在に取りつけ、多くのヘアースタイリングを、思いのままにセット出来るようにしたものである。
【背景技術】
【０００２】  従来よりヘアーアイロンは製品化されており、カールをつける等のヘアースタイリングが可能であった、これをヘアーアイロンブラシ、ストレートプレート、ワッフルプレート等の多くのアタッチメントを、必要の応じて着脱時自在に使用し、多くのヘアースタイリングを可能にしたものである。
【発明の開示】
【発明が解決しょうとする課題】
【０００３】  本発明が解決しょうとする課題は、ヘアーアイロンにより、多くのヘアースタイリングを可能にするのが課題である。
【課題を解決するための手段】
【０００４】  この課題を解決する手段として、ヘアーアイロンに、ロールアイロン・ロールアイロンブラシ・ストレートプレート・ワッフルプレート等のアタッチメントを、着脱自在に取りつけ、これにより多くのヘアースタイリングを可能にしたものである。
【発明の効果】
【０００５】  発明の効果としては、ストレート及び各３種類のワッフル・スソハネ・カール及び、それらの組み合わせにより、多くのヘアースタイリングを可能としたものである。
【発明を実施するための最良の形態】
【０００６】  ヘアーアイロン本体に、ロールアイロン・ロールアイロンブラシ・ストレートプレート・ワッフルプレート等のアタッチメントを、着脱自在に取りつけ可能とし、それぞれのアタッチメントの使用方法及び、色々の組み合わせ使用等により、希望するヘアースタイリング可能とする説明書とを、セットするのが最良の形態である。
【実施例】
【０００７】  図により説明すれば、図１はヘアーアイロン本体１を示すもので、この本体に種々の着脱自在のアタッチメントを、取り付けて使用するものである。【０００８】  図２はロールアイロン２のアタッチメントを示すもので、１９ｍｍ・２５ｍｍ・３２ｍｍの３種類のアタッチメントが有り、ロールアイロン２によるカールも、この大中小３種類が可能である。【０００９】  図３はロールブラシ６アタッチメントを示すもので、１９ｍｍ・２５ｍｍ・３２ｍｍの３種類のアタッチメントが有り、ロールブラシ６によるスソハネも、この大中小３種類が可能である。  ロールブラシ６はロールアイロン２に挿入して使用する。【００１０】  図４は本発明のヘアーアイロン１の種々のアタッチメントを使用して、ヘアースタイリングした一例を示すものである。【００１１】  図５のＡ及びＢはロールアイロン３の使用イメージを示すもので、Ａは後ろで２つのブロックに分けた髪を前に持ってきて、左右の胸の前でおろす、フエイスラインより耳下の髪をとり、経３２ｍｍの太アイロン２で内巻きにしたもので、Ｂは１９ｍｍの細アイロン２に替え、全体に再度カールをつけていく、バランスを見ながら太カールと細カールをミックスし、動きを演出、巻き終わつたら手ぐしでカールのニュアンスを作る、これらは添付の使用説明書によりヘアーメイクする。【００１２】  図６は３２ｍｍのロールアイロン２により、太めのカールでエレガンスな巻髪にスタイリングした例を示すものである。【００１３】  図７はロールアイロンブラシ６の使用イメージを示すもので、ブラシ６に毛先を巻きつけて、定番スソハネカールを作るもので、これは添付の使用説明書によりヘアーメイクする。【００１４】  図８のＡ及びＢはブラシ６アタッチメントにより、ヘアースタイリングした例で、Ａはブラシ６でエアリー感をプラスしたもので、Ｂはブラシ６でナチュラルな仕上がりを示す、これらは添付の使用説明書によりメイクする。【００１５】  図９はプレートアタッチメント１４を示すもので、ヘアーアイロン本体１に取りつけて使用する。【００１６】  図１０は挿入タイプのストレートプレートで、図１１はストレートヘアー用のストレートプレート１５の面を使って、ストレートメイク中を示すものである。【００１７】  図１２は挿入タイプのワッフルブレート１７を示すもので、図１３はワッフルヘアー用プレート１７を使用して、個性的なワッフルヘアーをメイク中を示すものである。【００１８】  図１４填め込みタイプのプレートアタッチメント１４を示すもので、ワッフルプレート１９は６ｍｍ・１２ｍｍ・２４ｍｍの３種類有り、ふわふわワッフルの大きなうねりのヘアーには１２〜２４ｍｍを、くっきりワッフルのクッキリラインのソバージュ風には６ｍｍを使用する。【００１９】  図１５はブレート専用のヘアーアイロン２０を示すもので、ストレートプレート２１は髪のハネをなおしてまっすぐにするのに使用する。【００２０】  これらの各アタッチメントを詳しい使用説明書により、組み合わせ使用することでより個性的なヘアースタイルを可能にするものである。
【産業上の利用可能性】
【００２１】  多忙な現在、時間に制約されること無く、特に費用を掛けずに希望するヘアースタイリングを、自宅にて可能にするものである。
【図面の簡単な説明】
【００２２】
【図１】ヘアーアイロン本体を示す図
【図２】ロールアイロン・アタッチメントを示す図
【図３】ロールアイロンブラシのアタッチメントを示す図
【図４】ヘアスタイルの一例を示す図
【図５】Ａ及びＢはヘアーアイロンの使用イメージを示す図
【図６】ロールアイロンでセットしたヘアスタイルの一例を示す図
【図７】ロールヘアーアイロンブラシの使用イメージを示す図
【図８】Ａ及びＢはロールヘアーアイロンブラシにより、セットしたヘアスタイルの一例を示す図。
【図９】プレートアタッチメントを示す図
【図１０】挿入タイプのストレートプレートアタッチメントを示す図
【図１１】ストレートプレートの使用イメージを示す図
【図１２】挿入タイプのワッフルフーレートアタッチメントを示す図
【図１３】ワッフルプレートの使用イメージを示す図
【図１４】填め込みタイプのアタッチメントを示す図
【図１５】プレートアタッチメントの専用ヘアーアイロンを示す図
【符号の説明】
【００２３】  １  ヘアーアイロン
２  ロールアイロンアタッチメント
３  発熱面部
４  ハンドル
５  アタッチメントと本体接続部
６  ロールアイロンブラシ
７  ヘアセットの一例
８  使用イメージ
９  使用イメージ
１０  ロールアイロンによるセットの一例
１１  ロールヘアーアイロンブラシの使用イメージ
１２  ブラシによるセットの一例
１３  ブラシによるセットの一例
１４  プレートアタッチメント
１５  挿入タイプのストレートプレート
１６  ストレートプレートの使用イメージ
１７  挿入タイプのワッフルプレート
１８  ワッフルプレートの使用イメージ
１９  填め込みタイプのワッフルプレート
２０  プレート専用のヘアーアイロン
２１  填め込みタテプのストレートプレート
【図１】
2006311982.tif 000003
【図２】
2006311982.tif 000004
【図３】
2006311982.tif 000005
【図４】
2006311982.tif 000006
【図５】
2006311982.tif 000007
【図６】
2006311982.tif 000008
【図７】
2006311982.tif 000009
【図８】
2006311982.tif 000010
【図９】
2006311982.tif 000011
【図１０】
2006311982.tif 000012
【図１１】
2006311982.tif 000013
【図１２】
2006311982.tif 000014
【図１３】
2006311982.tif 000015
【図１４】
2006311982.tif 000016
【図１５】
2006311982.tif 000017